(57)【要約】【課題】棒状食品が本体の略中央に位置し、包装時や開封時にあまり手間のかからない棒状食品用包装材を提供すること。【解決手段】この発明の棒状食品用包装材は、外フィルム部１と内フィルム部との間にシート状食品３を収容し棒状食品４に巻き付けるようにした本体５と、本体５の両端５ａ，５ｂ間の略中央に外方に突出するように設けられ、棒状食品４の両端部を覆うようにした袖部６を有する棒状食品用包装材であって、本体５は開封時に一端５ａ側と他端５ｂ側に分離されるようにしており、袖部６は、本体５の上辺と下辺の縁部にそれぞれ設けられる上辺側フィルム部６ａと下辺側フィルム部６ｂからなり、上辺側フィルム部６ａと下辺側フィルム部６ｂは、それぞれ分離される本体５のいずれか一方の側に接着されたものとしている。【選択図】  図１
2006290459.tif 000002
【特許請求の範囲】
【請求項１】
外フィルム部（１）と内フィルム部（２）との間にシート状食品（３）を収容し棒状食品（４）に巻き付けるようにした本体（５）と、本体（５）の両端（５ａ）（５ｂ）間の略中央に外方に突出するように設けられ、棒状食品（４）の両端部を覆うようにした袖部（６）を有する棒状食品用包装材であって、本体（５）は開封時に一端（５ａ）側と他端（５ｂ）側に分離されるようにしており、袖部（６）は、本体（５）の上辺と下辺の縁部にそれぞれ設けられる上辺側フィルム部（６ａ）と下辺側フィルム部（６ｂ）からなり、上辺側フィルム部（６ａ）と下辺側フィルム部（６ｂ）は、それぞれ分離される本体（５）のいずれか一方の側に接着されていることを特徴とする棒状食品用包装材。
【請求項２】
内フィルム部（２）は、互いの対向辺どうしを重ね合わせて設けられた一端側片（２ａ）と他端側片（２ｂ）からなり、上辺側フィルム部（６ａ）と下辺側フィルム部（６ｂ）は、それぞれ内フィルム部（２）の一端側片（２ａ）と他端側片（２ｂ）のいずれかに接着されている請求項１記載の棒状食品用包装材。
【請求項３】
外フィルム部（１）と内フィルム部（２）との間にシート状食品（３）を収容し棒状食品（４）に巻き付けるようにした本体（５）と、本体（５）の両端（５ａ）（５ｂ）間の略中央に外方に突出するように設けられ、棒状食品（４）の両端部を覆うようにした袖部（６）を有する棒状食品用包装材であって、本体（５）は開封時に一端（５ａ）側と他端（５ｂ）側に分離されるようにしており、袖部（６）は、本体（５）に交差するようにして設けられた帯フィルム（１４）の両端部であり、帯フィルム（１４）は、分離される外フィルム部（１）のいずれか一方の側に接着されていることを特徴とする棒状食品用包装材。
【請求項４】
棒状食品（４）に巻き付けた本体（５）の巻き終わりの端部を、外フィルム部（１）に設けた引き裂き部（１２）の上ないしその付近に重ねてラベル（１３）を貼り付けて止めるようにしており、引き裂き部（１２）を引き裂くとラベル（１３）も引き裂かれ、外フィルム部（１）が一端（５ａ）側と他端（５ｂ）側に分離されるようにしている請求項１、２又は３記載の棒状食品用包装材。
【請求項５】
本体（５）の巻き終わりの端部付近の部分（１５）が、容易に引き裂くことができるものであり、前記部分（１５）が外フィルム部（１）に設けた引き裂き部（１２）の上に重なるようにして棒状食品（４）に巻き付けた場合に、前記部分（１５）が、引き裂き部（１２）とともに引き裂かれるようにしている請求項１、２、３又は４記載の棒状食品用包装材。
【発明の詳細な説明】
【技術分野】
【０００１】
この発明は、巻き寿司等の棒状食品を包装するのに使用する棒状食品用包装材に関するものである。
【背景技術】
【０００２】
従来の巻き寿司等の棒状食品を包装するのに使用する棒状食品用包装材としては、特許文献１に記載のような、外フィルム１の長辺側の外縁に一対の内フィルム２，３の一辺を接合し、外フィルム１の幅方向の略中央で前記内フィルム２，３の対向辺どうしを重ね合わせ、さらに外フィルム１と内フィルム２，３との間にシート状食品３を挟み、さらに一方の内フィルム３に、帯状フィルム４を取り付けて長手方向両端に袖部４ａ，４ｂを形成したものがある。
【０００３】
この棒状食品用包装材を使用して棒状食品６を包装するには、特許文献１の図３に示されているように、右端側に設けられた帯状フィルム４の上に棒状食品６を載せ、その両端を帯状フィルム４の袖部４ａ，４ｂで覆ってから、棒状食品６の外周を巻いて覆う。そして、巻き終わりの端部を巻き止め用シールで止める。
【０００４】
また、この棒状食品用包装材は、開封操作片１ａが外フィルム１の略中央に形成されており、包装された棒状食品６を食べるときは、まず開封操作片１ａを引いて、外フィルム１を長手方向に引き裂き、次に、裏側の巻き止めシールを剥がして、右側の部分の外フィルム１を開く。開いた外フィルム１を引っ張ると、図５に示されているようにシート状食品５の一方が露出する。次に、棒状に形成した棒状食品６を左方向に転がして露出したシート状食品３の上に移動させ、シート状食品５を巻いていくと、棒状食品６が完成するようになっている。
【０００５】
この特許文献１の棒状食品用包装材では、袖部４ａ，４ｂを設けるために帯状フィルム４が右端側の一方の内フィルム３を横断するように設けられている。前記帯状フィルム４が中央ではなく右端側の一方の内フィルム３に設けられているのは、開封時に内フィルム２，３を分離できるようにするためである。
【０００６】
そのため、棒状食品６が右端側に位置して包装されるので、包装時には包装材の左端側を棒状食品６に巻くために大きな動作が必要になり、また、開封時には棒状食品６を左方向に転がしてシート状食品５の上に移動させる必要があり、手間がかかるものであった。
【特許文献１】特開平１０−４５１６０号公報
【発明の開示】
【発明が解決しようとする課題】
【０００７】
そこで、この発明は、棒状食品が本体の略中央に位置し、包装時や開封時にあまり手間のかからない棒状食品用包装材を提供することを課題とする。
【課題を解決するための手段】
【０００８】
この発明の棒状食品用包装材は、外フィルム部１と内フィルム部２との間にシート状食品３を収容し棒状食品４に巻き付けるようにした本体５と、本体５の両端５ａ，５ｂ間の略中央に外方に突出するように設けられ、棒状食品４の両端部を覆うようにした袖部６を有する棒状食品用包装材であって、本体５は開封時に一端５ａ側と他端５ｂ側に分離されるようにしており、袖部６は、本体５の上辺と下辺の縁部にそれぞれ設けられる上辺側フィルム部６ａと下辺側フィルム部６ｂからなり、上辺側フィルム部６ａと下辺側フィルム部６ｂは、それぞれ分離される本体５のいずれか一方の側に接着されたものとしている。
【０００９】
内フィルム部２は、互いの対向辺どうしを重ね合わせて設けられた一端側片２ａと他端側片２ｂからなり、上辺側フィルム部６ａと下辺側フィルム部６ｂは、それぞれ内フィルム部２の一端側片２ａと他端側片２ｂのいずれか一方の側に接着されたものとすることができる。
【００１０】
また、この発明の棒状食品用包装材は、外フィルム部１と内フィルム部２との間にシート状食品３を収容し棒状食品４に巻き付けるようにした本体５と、本体５の両端５ａ，５ｂ間の略中央に外方に突出するように設けられ、棒状食品４の両端部を覆うようにした袖部６を有する棒状食品用包装材であって、開封時に本体５が一端５ａ側と他端５ｂ側に分離されるようにしており、袖部６は、本体５に交差するようにして設けられた帯フィルム１４の両端部であり、帯フィルム１４は、分離される外フィルム部１のいずれかに接着されたものとすることができる。
【００１１】
さらに、棒状食品４に巻き付けた本体５の巻き終わりの端部を、外フィルム部１に設けた引き裂き部１２の上ないしその付近に重ねてラベル１３を貼り付けて止めるようにしており、引き裂き部１２を引き裂くとラベル１３も引き裂かれ、外フィルム部１が一端５ａ側と他端５ｂ側に分離されるようにしたものとすることができる。
【００１２】
また、本体５の巻き終わりの端部付近の部分１５が、容易に引き裂くことができるものであり、前記部分１５が外フィルム部１に設けた引き裂き部１２の上に重なるようにして棒状食品４に巻き付けた場合に、前記部分１５が、引き裂き部１２とともに引き裂かれるようにしたものとすることもできる。
【発明の効果】
【００１３】
この発明の棒状食品用包装材は、上述のような構成を有しており、棒状食品４の両端部を覆う袖部６が本体５の両端５ａ，５ｂ間の略中央において、分離される本体５の一端５ａ側又は他端５ｂ側のいずれか一方の側に接着されて設けられており、開封時に本体５が一端５ａ側と他端５ｂ側に分離可能であるとともに、棒状食品４が本体５の略中央に位置するので、包装時や開封時にあまり手間がかからないようになっている。
【発明を実施するための最良の形態】
【００１４】
以下、この発明の好適な実施形態を、図面を参照して説明する。
【００１５】
〔実施形態１〕
図１はこの発明の実施形態１の棒状食品用包装材の外側の平面図、図２はこの棒状食品用包装材の内側の平面図、図３はこの棒状食品用包装材に棒状食品を載せた状態の斜視図、図４はこの棒状食品用包装材で棒状食品４を包装した状態の斜視図、図５はこの棒状食品用包装材の巻き終わりの端部を切り取った後に外フィルム部１の引き裂き部１２を引き裂いている様子を示す斜視図、図６はこの棒状食品用包装材を開いて棒状食品４が露出した状態を示す斜視図、図７はこの棒状食品用包装材の一端５ａ側部分を取り去る様子を示す斜視図、図８はこの棒状食品用包装材の他端５ｂ側部分を取り去る様子を示す斜視図である。
【００１６】
この棒状食品用包装材は、外フィルム部１と内フィルム部２との間にシート状食品３を収容し棒状食品４に巻き付けるようにした本体５と、本体５の両端５ａ，５ｂ間の略中央に外方に突出するように設けられ、棒状食品４の両端部を覆うようにした袖部６を有する棒状食品用包装材であって、本体５は開封時に一端５ａ側と他端５ｂ側に分離されるようにしており、袖部６は、本体５の上辺と下辺の縁部にそれぞれ設けられる上辺側フィルム部６ａと下辺側フィルム部６ｂからなり、上辺側フィルム部６ａと下辺側フィルム部６ｂは、それぞれ分離される本体５のいずれか一方の側に接着されているものとしている。
【００１７】
外フィルム部１と内フィルム部２は、１枚の略矩形のフィルムを左右の２箇所で折り曲げて形成されている。折り曲げてできた左右縁部はヒートシールされており、この左右縁
部と上辺側と下辺側のヒートシール部分（図１、２中のクロスハッチで示した部分）に囲まれた部分がシート状食品３の収容部となっている。なお、外フィルム部１と内フィルム部２を、それぞれ別のフィルムで形成して、互いに接着して本体５を構成してもよい。
【００１８】
本体５の他端５ｂ（図１中の右端）にはその外側に切り取り部７が設けられている。切り取り部７には、図１中の縦方向（短辺に平行な方向）にカットテープ８が配設され、その左側に切り込み９が形成されている。
【００１９】
外フィルム部１は、縦方向に引き裂かれるものとしている。外フィルム部１には、本体５の両端５ａ，５ｂ間（図１中の左端〜右端間）の略中央に、縦方向に開封用テープ（カットテープ）１０を配設している。また、上辺側と下辺側には、開封用テープ１０の両側に縦方向の一対の切れ込みを設けることにより開封操作片１１を形成し、この開封用テープ１０と開封操作片１１によって切り取られる部分を引き裂き部１２としている。
【００２０】
内フィルム部２は、一対の一端側片２ａと他端側片２ｂからなり、本体５の両端５ａ，５ｂ間の略略中央で一端側片２ａと他端側片２ｂの対向辺どうしが重ね合わされている。
【００２１】
袖部６を構成する上辺側フィルム部６ａと下辺側フィルム部６ｂは、同じ大きさの矩形のフィルムであり、それぞれ分離される本体５のいずれか一方の側にヒートシール等により接着されている。この実施形態では、図２において、上辺側フィルム部６ａはその下端部の中央より右側の部分Ａが一端側片２ａに接着され、下辺側フィルム部６ｂはその上端部の中央より右側の部分Ａが一端側片２ａに接着されている。これらの接着は、前記上辺側と下辺側のヒートシール部分と重なるようにすることができる。
【００２２】
なお、上辺、下辺という用語は、この棒状食品用包装材を図１、図２のように本体５の両端５ａ，５ｂが左右に位置するようにした場合の、本体５の左右方向に延びる上下の２辺を意味している。
【００２３】
外フィルム部１と内フィルム部２との間に挟まれたシート状食品３は、通常は板海苔であるが、その他にも例えばゼラチンでシート状に形成された鰹節や昆布等とすることができる。棒状食品４は棒状の巻き寿司のにぎり飯とすることができる。
【００２４】
この棒状食品用包装材を使用して棒状食品４を包装するには、図３に示したように、本体５の略中央において棒状食品４を内フィルム部２の上に載せ、その両端部を袖部６で覆ってから、その外周を本体５で覆う。棒状食品４は本体５の略中央に位置するので、棒状食品４の左右各側に延びる本体５の一端５ａ側と他端５ｂ側の長さはほぼ同じであり、一方だけが長くなることがない。そのため、両側から同時に小さな動作で棒状食品４を覆うことができる。
【００２５】
そして、巻き終わりの端部（本体５の他端５ｂ、切り取り部７）が、本体５の一端５ａ側の外フィルム部１の上に重なった状態で、巻き終わりの端部の外フィルム部１と一端５ａ側の外フィルム部１との間にまたがるように、ラベル１３を貼り付けて固定する。ラベル１３は、その表面に商品名や価格、バーコード等を記載したもので、裏面には接着剤が塗布されている。ラベル１３は、前記切り取り部７に重なるようにしている。
【００２６】
すると、図４に示した状態となり、この状態で百貨店の食品売り場、スーパーマーケット、コンビニエンスストア等の店舗で販売することができる。なお、外フィルム部１を比較的厚みのあるものとすることにより、この棒状食品用包装材で包装した食品を立てた状態にして陳列することが可能で、陳列スペースを有効に利用することができる。
【００２７】
この棒状食品用包装材は、巻き止めをラベル１３によって行うため、特許文献１に記載のような従来の棒状食品用包装材のように巻き止め用のシールを別途用意して外フィルム部１に貼り付ける作業が不要である。また、ラベル１３は比較的幅があり、外フィルム部１の端部をしっかりと安定した状態で止めることができる。
【００２８】
この棒状食品用包装材で包装された食品を食べるときは、次の順序で行う。まず、図４に示した状態で掌の上に乗せ、前記切り取り部７をカットテープ８により引き裂いて切り取る。すると、図５に示したようにラベル１３が分断され、巻き止めが解かれた状態となる。
【００２９】
さらに開封操作片１１を引いて開封テープ１０により外フィルムの引き裂き部１２を引き裂いて切り取り、本体５と袖部６を開いて図６に示したように棒状食品４が露出した状態にする。この状態において、本体５は外フィルム部１も内フィルム部２も一端側、他端側に分離された状態となっている。
【００３０】
開封操作片１１は、ラベル１３が外フィルム部１に貼り付いた状態のまま引くことができるので、食品の購入者は、いったんラベル１３を剥がしとる必要はなく、開封作業をスムーズに行うことができる。また、棒状食品４は、本体５の略中央に位置するため、一端５ａ側または他端５ｂ側のいずれかの方向に転がしてシート状食品３の上に移動させる必要はない。
【００３１】
次に、図７に示したように本体５の一端５ａ側部分を摘んで引っ張って取り去る。袖部６の上辺側フィルム部６ａと下辺側フィルム部６ｂは本体５の一端５ａ側部分に接着されているため、一端５ａ側部分とともに取り去さられる。そして、露出したシート状食品３の一端側部分を棒状食品４に巻き、さらに、図８に示したように他端５ｂ側部分を摘んで引っ張って取り去り、そして、露出したシート状食品３の他端側部分を棒状食品４に巻くことにより巻き寿司が完成する。
【００３２】
棒状食品４は、内フィルムの一端側片２ａと他端側片２ｂの重なり部分上に位置しており、他に障害となるものもないため、前記他端５ｂ側部分と一端５ａ側部分はどちらを先に引っ張ってもスムーズに取り去ることができる。
【００３３】
なお、特許文献１に記載のような従来の食品包装材では、袖部を設けるために帯状フィルムが内フィルムを横断するように設けられているが、帯状フィルムの内フィルムに重なった部分は袖部を構成しない本来不要な部分であり、材料に無駄が生じていた。また、開封時には、前記帯状フィルムは引き裂かれないため、棒状食品を帯状フィルム上から一部露出したシート状食品の上に移動させてから食品にシート状食品を巻く必要があった。
【００３４】
これに対し、この実施形態の食品包装材では、内フィルム部２を横断する長尺な帯状フィルムは不要であるため、材料の無駄が少なく、また、前述の通り、棒状食品４を移動させることなく、前記他端５ｂ側部分と一端５ａ側部分を取り去るだけで、シート状食品３を棒状食品４に巻き付けられる状態になる。
【００３５】
この実施形態では、外フィルム部１の引き裂き部１２に開封用テープ１０を配設したものとしているが、外フィルム部１として引裂方向性を有するフィルムを使用し、開封用テープ１０を配設していないものとすることもできる。さらに、本発明は上記実施形態に限定されず、形状、素材等、適宜構成を変更して実施することが可能である。
【００３６】
〔実施形態２〕
図９は、この発明の実施形態２の棒状食品用包装材外側の平面図である。この棒状食品用包装材は、袖部６を外フィルムに接着した帯フィルム１４の両端部としている。袖部６以外の構成は、前記前記実施形態１と同様とすることができる。
【００３７】
具体的には、外フィルム部１と内フィルム部２との間にシート状食品３を収容し棒状食品４に巻き付けるようにした本体５と、本体５の両端５ａ，５ｂ間の略中央に外方に突出するように設けられ、棒状食品４の両端部を覆うようにした袖部６を有する棒状食品用包装材であって、本体５は開封時に一端５ａ側と他端５ｂ側に分離されるようにしており、袖部６は、本体５に交差するようにして設けられた帯フィルム１４の両端部であり、帯フィルム１４は、分離される外フィルム部１のいずれか一方の側に接着されたものとしている。
【００３８】
この実施形態では、帯フィルム１４は、本体５の引き裂き部１２より少し一端５ａ側寄りの上辺と下辺付近の部分Ａで、外フィルム部１に接着されている。
【００３９】
この棒状食品用包装材は、前記実施形態１と同様に棒状食品４を包装し、開封することができる。なお、外フィルム部１の引き裂き部１２及び開封操作片１１の上に帯フィルム１４が重なっているが、開封時には、帯フィルム１４をめくって、開封操作片１１を引いて外フィルムの引き裂き部１２を引き裂くことができる。また、外フィルム部１の引き裂き部１２及び開封操作片１１を帯フィルム１４と重ならない位置に設けてもよい。
【００４０】
〔実施形態３〕
図１０はこの発明の実施形態３の棒状食品用包装材の外側の平面図、図１１はこの棒状食品用包装材の内側の平面図、図１２この棒状食品用包装材で棒状食品４を包装した状態の斜視図、図１３はこの棒状食品用包装材の外フィルム部１の引き裂き部１２を引き裂いた状態を示す斜視図である。
【００４１】
この棒状食品用包装材は、前記実施形態１、２のような開封時における本体５の切り取り部７の切り取り作業の必要をなくしたもので、切り取り部７は設けられておらず、外フィルム部１の引き裂き部１２を引き裂くだけで、本体５の巻き止めが解かれるとともに本体５が分離された状態にすることができるようにしたものである。
【００４２】
具体的には、棒状食品４に巻き付けた本体５の巻き終わりの端部（本体５の他端５ｂ）を、外フィルム部１に設けた引き裂き部１２の上ないしその付近に重ねてラベル１３を貼り付けて止めるようにしており、引き裂き部１２を引き裂くとラベル１３も引き裂かれ、巻き止めが解かれるとともに外フィルム部１が一端５ａ側と他端５ｂ側に分離されるようにしている。その他の基本的な構成は前記実施形態１、２と同様とすることができる。
【００４３】
また、この実施形態では、外フィルムの他端５ｂ付近の部分１５をテーパー状としており、このテーパー状部分１５の端部を本体５の巻き終わりの端部としている。この巻き終わりの端部は、ラベル１３と同じ程度の幅に形成されたものとし、この巻き終わりの端部の外フィルム部１と一端５ａ側の外フィルム部１との間にまたがるように、ラベル１３を貼り付けて固定するようにしている。
【００４４】
ラベル１３は、巻き終わりの端部に合わせて貼り付ければよいので、縦方向に関して中央の位置に容易かつ正確に貼り付けることができる。また、巻き終わりの端部付近がテーパー状であるため、巻き終わりの端部が引き裂き部１２の上に重なっていても、開封操作片１１は隠れることがなく、スムーズに引き裂き部１２を引き裂くことができる。
【００４５】
〔実施形態４〕
前述の実施形態３の棒状食品用包装材は、外フィルムの他端５ｂ付近の部分１５が、外フィルム部１に設けた引き裂き部１２の上に大きく重ならないよう、棒状食品４の径を考慮して、本体５の両端５ａ，５ｂ間の長さが設定されている。しかし、この棒状食品用包装材を、より径の小さい棒状食品４に巻き付けると、他端５ｂ付近の部分１５が、外フィルム部１に設けた引き裂き部１２の上に重なる場合があり、この場合、引き裂き部１２を引き裂くときに、前記他端５ｂ付近の部分１５が障害になり、うまく開封できないという問題が生じる。
【００４６】
そこで、この実施形態４では、本体５の巻き終わりの端部付近の部分１５が、容易に引き裂くことができるものであり、前記部分１５が引き裂き部１２に重なるようにして棒状食品４に巻き付けた場合に、前記部分１５が、引き裂き部１２とともに引き裂かれるようにした構成とすることにより、この問題を解決している。
【００４７】
具体的には、図１４に示したように、本体５の他端５ｂ付近の部分１５の上辺側と下辺側に切れ込み１６を設けたものとした。この部分１５は、外フィルム部１と一体に形成されたものであり、上下方向の長さは本体５の上辺と下辺間の長さよりも短く、左右方向の長さは、太めの棒状食品４に巻きつけたときには、本体５の他端５ｂが、外フィルム部１に設けた引き裂き部１２付近に位置し、本体５の他端５ｂ付近の部分１５が引き裂き部１２に重ならず、細めの棒状食品４に巻きつけたときには、前記部分１５が引き裂き部１２の上に重なるように設定されている。
【００４８】
そして、前記部分１５の上辺と下辺に、２ｍｍ程度の間隔で、深さ２ｍｍ程度の切れ込み１６を形成している。また、ラベル１３は、上下方向の長さが前記部分１５と略同一であるとともに、その上辺と下辺に、前記部分１５と同様の切れ込み１７が形成されたものとすることにより、前記部分１５とともに容易に引き裂くことができるようにしている。
【００４９】
図１５は、この実施形態４の棒状食品用包装材を、細めの棒状食品４に巻き付ける様子を示した図である。ラベル１３は、その上辺と下辺が前記部分１５の上辺と下辺に部分的又は全体的に重なるようにして貼り付けられる。前記部分１５の切れ込み１６とラベル１３の切れ込み１７は、同じ位置になることが望ましいが、ずれていてもよい。
【００５０】
図１５に示したように、前記部分１５とラベル１３は、引き裂き部１２の上に大きく重なるが、切れ込み１６、１７により、引き裂き部１２を引き裂いていくと、引き裂き部１２とともに容易に引き裂くことができ、障害にならない。したがって、太さの異なる棒状食品４にも対応することができる。
【００５１】
なお、前記部分１５の形状や大きさは図示したものに限定されず、切れ込み１６、１７についても、大きさや間隔を適宜変更することができ、前記部分１５とラベル１３の上辺、下辺のいずれか片側のみに形成することもできる。また、切れ込みの代わりに、ミシン目を形成するなどして、前記部分１５やラベル１３を容易に引き裂けるように構成してもよい。
【図面の簡単な説明】
【００５２】
【図１】この発明の実施形態１の棒状食品用包装材の外側の平面図である。
【図２】この発明の実施形態１の棒状食品用包装材の内側の平面図である。
【図３】この発明の実施形態１の棒状食品用包装材に棒状食品を載せた状態の斜視図である。
【図４】この発明の実施形態１の棒状食品用包装材で棒状食品を包装した状態の斜視図である。
【図５】この発明の実施形態１の棒状食品用包装材の巻き終わりの端部を切り取った後に外フィルム部の引き裂き部を引き裂いている様子を示す斜視図である。
【図６】この発明の実施形態１の棒状食品用包装材を開いて棒状食品が露出した状態を示す斜視図である。
【図７】この発明の実施形態１の棒状食品用包装材の一端側部分を取り去る様子を示す斜視図である。
【図８】この発明の実施形態１の棒状食品用包装材の他端側部分を取り去る様子を示す斜視図である。
【図９】この発明の実施形態２の棒状食品用包装材の外側の平面図である。
【図１０】この発明の実施形態３の棒状食品用包装材の外側の平面図である。
【図１１】この発明の実施形態３の棒状食品用包装材の内側の平面図である。
【図１２】この発明の実施形態３の棒状食品用包装材で棒状食品を包装した状態の斜視図である。
【図１３】この発明の実施形態３の棒状食品用包装材の外フィルム部の引き裂き部を引き裂いた状態を示す斜視図である。
【図１４】この発明の実施形態４の棒状食品用包装材の外側の平面図である。
【図１５】この発明の実施形態４の棒状食品用包装材で棒状食品を包装する様子の説明図である。
【符号の説明】
【００５３】
１  外フィルム部
２  内フィルム部
２ａ  一端側片
２ｂ  他端側片
３  シート状食品
４  棒状食品
５  本体
６  袖部
６ａ  上辺側フィルム部
６ｂ  下辺側フィルム部
１２  引き裂き部
１４  帯フィルム
１３  ラベル
１５  巻き終わりの端部付近の部分
【図１】
2006290459.tif 000003
【図２】
2006290459.tif 000004
【図３】
2006290459.tif 000005
【図４】
2006290459.tif 000006
【図５】
2006290459.tif 000007
【図６】
2006290459.tif 000008
【図７】
2006290459.tif 000009
【図８】
2006290459.tif 000010
【図９】
2006290459.tif 000011
【図１０】
2006290459.tif 000012
【図１１】
2006290459.tif 000013
【図１２】
2006290459.tif 000014
【図１３】
2006290459.tif 000015
【図１４】
2006290459.tif 000016
【図１５】
2006290459.tif 000017